(57)【要約】【課題】可変フィルタのフィルタ係数が発散した場合であっても、フィルタ係数の収束が可能となる適応等化器を提供する。【解決手段】入力信号は、可変フィルタ６１により波形等化される。可変フィルタ６１のフィルタ係数は、適応制御部６２により適応的に更新される。係数決定部６４は、等化信号の誤り訂正回数が最小となったときのフィルタ係数を正常動作時のフィルタ係数として保持する。係数リセット部６３は、ヘッドの切り替えタイミングに同期して、可変フィルタ６１のフィルタ係数を正常動作時のフィルタ係数にリセットする。【選択図】図２
2005135563.tif 000002
【特許請求の範囲】
【請求項１】
時系列順で入力されるデジタルの入力信号を適応等化する適応等化器であって、
前記入力信号を等化する可変フィルタ部と、
当該可変フィルタ部の出力信号と前記入力信号とに基づいて、等化アルゴリズムに従って前記可変フィルタ部のフィルタ係数を更新する適応制御部と、
前記可変フィルタ部のフィルタ係数を所定のタイミングでリセットするフィルタ係数リセット部と、
を有することを特徴とする適応等化器。
【請求項２】
請求項１に記載の適応等化器であって、
前記入力信号は、切り替えて使用される複数の磁気ヘッドにより磁気記録媒体に記録されたデジタルデータが再生された信号であって、
前記フィルタ係数リセット部は、前記磁気ヘッドの切り替えのタイミングに応じてリセットを行うことを特徴とする適応等化器。
【請求項３】
前記フィルタ係数リセット部は、正常動作時のフィルタ係数にリセットすることを特徴とする請求項１または２に記載の適応等化器。
【請求項４】
請求項１〜３のいずれかに記載の適応等化器であって、
前記入力信号は、記録媒体に記録されたデジタルデータが再生された再生信号であって、
前記適応制御部は、前記再生信号のビットタイミング同期が得られた後に、前記フィルタ係数の更新を開始することを特徴とする適応等化器。
【請求項５】
記録媒体に記録されたデジタルデータを再生するデジタル信号再生装置であって、
前記デジタルデータの再生信号を等化する適応等化部を備え、
当該適応等化部は、
時系列順で入力されるデジタルの前記再生信号を等化する可変フィルタ部と、
当該可変フィルタ部の出力信号と前記再生信号とに基づいて、等化アルゴリズムに従って前記可変フィルタ部のフィルタ係数を更新する適応制御部と、
前記可変フィルタ部のフィルタ係数を所定のタイミングでリセットするフィルタ係数リセット部と、
を有することを特徴とするデジタル信号再生装置。
【請求項６】
記録媒体に記録されたデジタルデータを再生するデジタル信号再生装置であって、
前記デジタルデータの再生信号をサンプリングするＡ／Ｄ変換部と、
当該Ａ／Ｄ変換部により得られた信号に基づいて前記デジタルデータのデータ存在点のデータ値を推定補間する補間部と、
当該補間部により得られた信号を入力信号として等化し、等化後の信号を前記推定補間のために前記補間部にフィードバックする適応等化部と、を備え、
当該適応等化部は、
時系列順で入力されるデジタルの前記入力信号を等化する可変フィルタ部と、
当該可変フィルタ部の出力信号と前記入力信号とに基づいて、等化アルゴリズムに従って前記可変フィルタ部のフィルタ係数を更新する適応制御部と、
前記可変フィルタ部のフィルタ係数を所定のタイミングでリセットするフィルタ係数リセット部と、を有し、
前記適応制御部は、前記補間部による推定補間の位置が前記デジタルデータのデータ存在点と略一致した後に、前記フィルタ係数の更新を開始することを特徴とするデジタル信号再生装置。
【請求項７】
時系列順で入力されるデジタルの入力信号を適応等化するためにコンピュータを、
前記入力信号を等化する可変フィルタ部、
当該可変フィルタ部の出力信号と前記入力信号とに基づいて、等化アルゴリズムに従って前記可変フィルタ部のフィルタ係数を更新する適応制御部、
前記可変フィルタ部のフィルタ係数を所定のタイミングでリセットするフィルタ係数リセット部、
として機能させることを特徴とする適応等化プログラム。
【請求項８】
時系列順で入力されるデジタルの入力信号を適応等化する適応等化方法であって、
前記入力信号を可変フィルタ部により等化する等化ステップと、
当該等化ステップで得られた信号と前記入力信号とに基づいて、等化アルゴリズムに従って前記可変フィルタ部のフィルタ係数を更新する適応制御ステップと、
前記可変フィルタ部のフィルタ係数を所定のタイミングでリセットするフィルタ係数リセットステップと、
を有することを特徴とする適応等化方法。
【発明の詳細な説明】
【技術分野】
【０００１】
本発明は、記録媒体に記録されたデータの再生信号等を波形等化する適応等化器に関し、特に、等化に用いられる可変フィルタのフィルタ係数の制御に関する。
【背景技術】
【０００２】
磁気記録媒体に記録された磁気データを再生する磁気再生装置では、磁気ヘッドからの再生信号の振幅歪みや位相歪み等を補償するために、適応等化器が用いられている（例えば、特許文献１参照）。
【０００３】
この適応等化器では、入力信号に対し、ＦＩＲ（有限インパルス応答）フィルタにより等化処理が施される。ＦＩＲフィルタの出力は、復号回路に供給され、レベル比較等による“１”、“０”の判別がなされてデータ系列の復号が行われる。そして、復号回路からの出力とＦＩＲフィルタからの出力との誤差が算出され、この誤差が適応制御部に送られる。適応制御部は、誤差の信号パワーが最小となるようにＦＩＲフィルタのフィルタ係数を適応的に更新する。
【０００４】
【特許文献１】特開平５−４０９０７号公報
【発明の開示】
【発明が解決しようとする課題】
【０００５】
しかし、上記のような判定帰還の適応等化では、磁気テープに傷がある場合のように、入力信号が著しく等化目標の特性から外れた状態が続いた場合、フィルタ係数が発散してしまい、目標とする等化特性に収束できなくなる。この結果、映像データや音声データが正しく復元されなくなってしまう。
【０００６】
本発明は、フィルタ係数が発散した場合であっても収束が可能となる適応等化器を提供する。
【課題を解決するための手段】
【０００７】
本発明は、時系列順で入力されるデジタルの入力信号を適応等化する適応等化器であって、前記入力信号を等化する可変フィルタ部と、当該可変フィルタ部の出力信号と前記入力信号とに基づいて、等化アルゴリズムに従って前記可変フィルタ部のフィルタ係数を更新する適応制御部と、前記可変フィルタ部のフィルタ係数を所定のタイミングでリセットするフィルタ係数リセット部と、を有することを特徴とする。
【０００８】
前記入力信号が、切り替えて使用される複数の磁気ヘッドにより磁気記録媒体に記録されたデジタルデータが再生された信号である場合、前記フィルタ係数リセット部は、前記磁気ヘッドの切り替えのタイミングに応じてリセットを行うことが好ましい。
【０００９】
前記フィルタ係数リセット部は、正常動作時のフィルタ係数にリセットすることが望ましい。
【００１０】
前記入力信号が、記録媒体に記録されたデジタルデータが再生された再生信号である場合、前記適応制御部は、前記再生信号のビットタイミング同期が得られた後に、前記フィルタ係数の更新を開始することが好ましい。
【００１１】
また、本発明は、記録媒体に記録されたデジタルデータを再生するデジタル信号再生装置であって、前記デジタルデータの再生信号を等化する適応等化部を備え、当該適応等化部は、時系列順で入力されるデジタルの前記再生信号を等化する可変フィルタ部と、当該可変フィルタ部の出力信号と前記再生信号とに基づいて、等化アルゴリズムに従って前記可変フィルタ部のフィルタ係数を更新する適応制御部と、前記可変フィルタ部のフィルタ係数を所定のタイミングでリセットするフィルタ係数リセット部と、を有することを特徴とする。
【００１２】
また、本発明は、記録媒体に記録されたデジタルデータを再生するデジタル信号再生装置であって、前記デジタルデータの再生信号をサンプリングするＡ／Ｄ変換部と、当該Ａ／Ｄ変換部により得られた信号に基づいて前記デジタルデータのデータ存在点のデータ値を推定補間する補間部と、当該補間部により得られた信号を入力信号として等化し、等化後の信号を前記推定補間のために前記補間部にフィードバックする適応等化部と、を備え、当該適応等化部は、時系列順で入力されるデジタルの前記入力信号を等化する可変フィルタ部と、当該可変フィルタ部の出力信号と前記入力信号とに基づいて、等化アルゴリズムに従って前記可変フィルタ部のフィルタ係数を更新する適応制御部と、前記可変フィルタ部のフィルタ係数を所定のタイミングでリセットするフィルタ係数リセット部と、を有し、前記適応制御部は、前記補間部による推定補間の位置が前記デジタルデータのデータ存在点と略一致した後に、前記フィルタ係数の更新を開始することを特徴とする。
【００１３】
また、本発明は、時系列順で入力されるデジタルの入力信号を適応等化するためにコンピュータを、前記入力信号を等化する可変フィルタ部、当該可変フィルタ部の出力信号と前記入力信号とに基づいて、等化アルゴリズムに従って前記可変フィルタ部のフィルタ係数を更新する適応制御部、前記可変フィルタ部のフィルタ係数を所定のタイミングでリセットするフィルタ係数リセット部、として機能させることを特徴とする適応等化プログラムである。
【００１４】
また、本発明は、時系列順で入力されるデジタルの入力信号を適応等化する適応等化方法であって、前記入力信号を可変フィルタ部により等化する等化ステップと、当該等化ステップで得られた信号と前記入力信号とに基づいて、等化アルゴリズムに従って前記可変フィルタ部のフィルタ係数を更新する適応制御ステップと、前記可変フィルタ部のフィルタ係数を所定のタイミングでリセットするフィルタ係数リセットステップと、を有することを特徴とする適応等化方法である。
【発明の効果】
【００１５】
本発明によれば、適応的に更新される可変フィルタのフィルタ係数を、所定のタイミングでリセットするので、フィルタ係数が発散した場合であっても、リセット後に収束が可能となる。
【発明を実施するための最良の形態】
【００１６】
以下、本発明の実施の形態を図面に従って説明する。
【００１７】
図１は、本実施の形態に係るデジタル信号再生装置の構成を示すブロック図である。このデジタル信号再生装置は、本実施の形態では、デジタルビデオカメラの磁気再生装置である。このデジタルビデオカメラは、ビデオ信号をデジタル信号に変換し、いわゆるパーシャルレスポンス方式を用いて磁気テープに記録再生する。パーシャルレスポンス方式とは、伝送路（あるいは記録媒体）の伝達特性による符号間干渉を積極的に利用して、符号のスペクトラムを整形する方式のことであり、例えば、パーシャルレスポンスクラスＩＶがある。
【００１８】
図１において、磁気テープ（不図示）に記録された磁気信号は、２つの磁気ヘッド１１ａ、１１ｂにより電気信号に変換される。２つの磁気ヘッド１１ａ、１１ｂの再生信号は、ヘッド切り替えスイッチ１２によって交互にヘッドアンプ１３に供給される。ヘッド切り替えスイッチ１２は、ヘッド切り替え制御部１４から供給されるヘッド切り替え信号に応じて動作する。これにより、２つの磁気ヘッド１１ａ、１１ｂは、磁気テープの１トラックずつを交互に再生することとなる。
【００１９】
ヘッドアンプ１３は、ヘッド切り替えスイッチ１２から供給された信号を増幅し、デジタル信号再生回路１００に出力する。このデジタル信号再生回路１００は、ヘッドアンプ１３からのテープ再生信号に対し、ビットクロック同期およびＰＲ４（パーシャルレスポンスクラスＩＶ）波形への波形等化を行うＬＳＩ（Large Scale Integrated circuit）である。ヘッドアンプ１３からのアナログ信号はＡ／Ｄ変換され、デジタル信号再生回路１００での処理は、すべてデジタル信号処理により行われる。
【００２０】
デジタル信号再生回路１００において、Ａ／Ｄ変換器２０は、ヘッドアンプ１３から供給されたアナログ信号を所定の周期でオーバーサンプリングする。インターポレータ（補間器ともいう）３０は、Ａ／Ｄ変換器２０により非同期サンプリングされたデジタル信号に基づいて、磁気テープに記録されていたデジタルデータのデータ存在点（ビット点ともいう）のデータ値を推定補間する。ここで、インターポレータ３０は、推定補間の位置がビット位置と一致するように、タイミングコントロール部７０によって制御される。そして、推定補間の位置とビット位置とが略一致することにより、ビットタイミング同期が確立する。
【００２１】
インターポレータ３０の推定補間により得られた信号は、前処理用のフィルタ群４０およびＡＧＣ（Automatic Gain Control）回路５０によりある程度の波形整形が施された後、適応等化器６０で波形等化される。適応等化器６０により得られた等化信号は、タイミングコントロール部７０を介してインターポレータ３０にフィードバックされるとともに、ＬＳＩ外部の信号処理回路８０に送られる。この信号処理回路８０では、デジタル信号値の判定や誤り訂正等が行われ、最終的に映像データや音声データが復元される。
【００２２】
図２は、本実施の形態に係る適応等化器６０の構成を示すブロック図である。この適応等化器６０には、ＡＧＣ回路５０の出力信号（以下、入力信号ｘと称す）が供給される。入力信号ｘは、可変フィルタ６１によって波形等化される。この可変フィルタ６１のフィルタ係数（タップ係数ともいう）は、適応制御部６２によって適応的に更新される。
【００２３】
このフィルタ係数の更新は、ビットタイミング同期確立後に開始される。これは、同期確立前に更新を行うと、入力信号ｘが等化目標の特性から大きく外れているので、フィルタ係数が発散してしまう可能性があるからである。また、タイミング制御動作と干渉してしまい、インターポレータ３０および適応等化器６０の両方が正しい動作をしなくなるからである。
【００２４】
さらに、本実施の形態では、フィルタ係数は係数リセット部６３により所定のタイミングでリセットされる。これにより、磁気テープの傷等によりフィルタ係数が発散した場合であっても、リセット後に収束することが可能となる。
【００２５】
本実施の形態では、フィルタ係数のリセットは、１トラックの連続データ再生中でのリセットを避けるため、磁気ヘッド１１ａ、１１ｂの切り替えタイミングに応じて行われる。また、リセットにより設定されるフィルタ係数は、収束時間を短くするため、正常動作時の係数となっている。ここで、正常動作時のフィルタ係数とは、ある程度収束した状態におけるフィルタ係数であり、どのような方法で求められてもよい。具体的には、係数リセット部６３は、ヘッド切り替え制御部１４から供給されるヘッド切り替え信号に基づいて、ヘッドの切り替えタイミングを検出する。そして、ヘッドの切り替えが検出されたときに、可変フィルタ６１のフィルタ係数を正常動作時のフィルタ係数にリセットする。ここで、正常動作時のフィルタ係数は、係数決定部６４により決定され保持されているが、これについては後に詳しく説明する。
【００２６】
なお、リセットのタイミングは上記に限定されない。例えば、画像の１フレーム毎に出力されるフレームパルスに同期してリセットしてもよいし、タイマ（不図示）による計測時間が所定時間経過する毎にリセットしてもよい。また、リセットにより設定されるフィルタ係数も上記のものに限定されず、予め設定されたフィルタ係数等の他のものであってもよい。予め設定されたフィルタ係数としては、例えば周波特性のないフラットな特性を有するものが挙げられる。
【００２７】
図３は、可変フィルタ６１および適応制御部６２の構成を示すブロック図である。以下、図３を参照して、可変フィルタ６１および適応制御部６２について、より具体的に説明する。
【００２８】
可変フィルタ６１は、入力信号ｘを波形等化するフィルタである。本実施の形態では、可変フィルタ６１は、図３に示されるとおり、５タップのＦＩＲ（有限インパルス応答）フィルタである。入力端子Ｐｉから入力された入力信号ｘは、タップ数に応じた遅延素子、ここでは４個の遅延素子６１ａ、６１ｂ、６１ｃ、６１ｄの直列回路に送られる。入力端子Ｐｉからの入力信号ｘ0および各遅延素子６１ａ、６１ｂ、６１ｃ、６１ｄからの各出力ｘ-1、ｘ-2、ｘ-3、ｘ-4は、それぞれ係数乗算器６１ｅ、６１ｆ、６１ｇ、６１ｈ、６１ｉに送られ、それぞれフィルタ係数ｗ0、ｗ1、ｗ2、ｗ3、ｗ4と乗算された後、加算器６１ｊにより加算される。算出された値は、等化信号ｙとして、出力端子Ｐｏを介してタイミングコントロール部７０および信号処理回路８０に出力される。ここで、
ｙ＝ｗ0・ｘ0＋ｗ1・ｘ-1＋ｗ2・ｘ-2＋ｗ3・ｘ-3＋ｗ4・ｘ-4
である。各フィルタ係数ｗ0、ｗ1、ｗ2、ｗ3、ｗ4は、適応制御部６２により更新されるようになっている。
【００２９】
適応制御部６２は、入力信号ｘと可変フィルタ６１から出力される等化信号ｙとに基づいて、適応アルゴリズムに従って可変フィルタ６１のフィルタ係数を適応的に更新する。本実施の形態では、適応制御部６２は、仮判定部６２ａと、加算器６２ｂと、フィルタ係数更新部６２ｃとを有する。仮判定部６２ａは、等化信号ｙに対し、所定の閾値とのレベル比較を行い、デジタル信号値“−１”、“０”、“１”の判定を行う。加算器６２ｂは、等化信号ｙから仮判定部６２ａの判定結果を減算し、等化誤差ｅを算出する。例えば、等化信号ｙが「０．８」の場合に、“１”と判定されたとき、等化誤差ｅは「−０．２」となる。フィルタ係数更新部６２ｃは、入力信号ｘと加算器６２ｂにより算出された等化誤差ｅとに基づいて、適応アルゴリズムに従って更新されるべきフィルタ係数を演算する。そして、フィルタ係数更新部６２ｃは、可変フィルタ６１のフィルタ係数を演算後のフィルタ係数に置き換える。ここで、適応アルゴリズムとしては、ＬＭＳ（Least Mean Square）法、ＲＬＳ（Recursive Least Square）法、最急降下法等が挙げられるが、等化誤差ｅの信号パワーが最小となるようにフィルタ係数を更新することができるものであればよい。
【００３０】
つぎに、図４のタイミングチャートに従って、適応等化器６０の動作について説明する。図４において、時刻ｔ１では、ヘッド切り替え信号は正であり、磁気ヘッド１１ａが使用されている。また、ビットタイミング同期はとれており、適応制御部６２によるフィルタ係数の更新が行われている。
【００３１】
時刻ｔ２において、ヘッド切り替え信号が正から負に切り替わると、使用される磁気ヘッドが磁気ヘッド１１ａから磁気ヘッド１１ｂに切り替わる。これにより、ビットタイミング同期がずれ、ビットタイミング誤差が生じる。この状態で適応制御部６２によるフィルタ係数の更新を続行すると、タイミングコントロール動作と干渉してしまい、ビットタイミング同期と適応等化との両方が正しく行われなくなってしまう。そこで、適応制御部６２は、ヘッド切り替え制御部１４のヘッド切り替え信号をモニタしており、ヘッド切り替え信号の立ち下がりまたは立ち上がりがあったときに、フィルタ係数の更新を停止する。一方、係数リセット部６３は、ヘッド切り替え制御部１４のヘッド切り替え信号をモニタしており、ヘッド切り替え信号の立ち下がりまたは立ち上がりがあったときに、可変フィルタ６１のフィルタ係数を正常動作時の係数にリセットする。ここで、正常動作時のフィルタ係数は、係数決定部６４から読み出される。また、フィルタ係数はフィルタ係数更新部６２ｃでの演算にも用いられるので、係数リセット部６３は、リセットにより設定されるフィルタ係数を適応制御部６２にも供給する。なお、係数リセット部６３によるリセットは、ヘッド切り替え信号の立ち下がりや立ち上がりから所定時間経過後に実行されてもよい。
【００３２】
磁気ヘッド１１ａ、１１ｂが切り替わってからビットタイミング同期が確立するまでの時間はある程度一定である。そこで、本実施の形態では、予め設定された時間Δｔ経過後の時刻ｔ３に、ビットタイミング同期が確立したものとし、フィルタ係数の更新を開始する。具体的には、適応制御部６２は、タイマ（不図示）により時刻ｔ２からの経過時間を計測し、経過時間がΔｔとなった時点でフィルタ係数の更新を開始する。この後、図４において時刻ｔ４に、フィルタ係数は略収束する。なお、適応制御部６２によるフィルタ係数の更新は、ビットタイミング同期確立後に開始されればよく、例えば、ビットタイミング誤差が所定値以下となった場合に開始されてもよい。
【００３３】
ここで、可変フィルタ６１を通過する信号は、時刻ｔ２からｔ３の区間においてプリアンブル信号であり、時刻ｔ３以降においてユーザデータ信号であることが好ましい。また、時刻ｔ２からｔ４の区間においてプリアンブル信号であり、時刻ｔ４以降においてユーザデータ信号であることがさらに好ましい。
【００３４】
次に、正常動作時のフィルタ係数の決定方法について説明する。信号処理回路８０における等化信号に対する誤り訂正回数（誤り検出数とも言える）が少ないほど、波形等化が良好に行われたものと考えられる。そこで、誤り訂正回数が最小となったときのフィルタ係数を正常動作時のフィルタ係数とする。そこで、係数決定部６４は、等化信号の誤り訂正回数と当該等化信号が得られたときのフィルタ係数とに基づいて、正常動作時のフィルタ係数を決定する。具体的には、係数決定部６４は、可変フィルタ６１のフィルタ係数と信号処理回路８０における等化信号の誤り訂正回数とをモニタしている。そして、係数決定部６４は、誤り訂正回数が過去最小であったときに、当該誤り訂正回数に対応する等化信号が得られたときのフィルタ係数を正常動作時のフィルタ係数として保持する。したがって、正常動作時のフィルタ係数は、誤り訂正回数が過去最小となるたびに更新される。
【００３５】
なお、正常動作時のフィルタ係数は、ある程度収束した状態におけるフィルタ係数が得られれば、他の方法により決定されてもよい。例えば、リセット直前のフィルタ係数（図４では、時刻ｔ２直前のフィルタ係数や時刻ｔ５直前のフィルタ係数）の平均値を正常動作時のフィルタ係数とすることができる。
【００３６】
以上のとおり、本実施の形態によれば、適応等化器６０において、可変フィルタ６１のフィルタ係数を所定のタイミングでリセットするので、フィルタ係数が発散した場合であってもリセット後に収束可能とすることができる。これにより、長期間にわたってフィルタ係数の発散状態が続くことを回避することができる。なお、適応等化は短時間で収束が可能なため、頻繁にリセットを行っても実用上問題とならない。
【００３７】
また、磁気ヘッド１１ａ、１１ｂの切り替えタイミングに応じてフィルタ係数のリセットを行うので、１トラックの連続データの再生中にはリセットが行われない。これにより、連続データを連続的に処理することができる。
【００３８】
さらに、正常動作時のフィルタ係数にリセットするので、リセットから短時間での収束が可能となる。
【００３９】
また、適応制御部６２は、ビットタイミング同期が確立した後にフィルタ係数の更新を開始するので、ビットタイミング同期確立前のフィルタ係数の更新によるフィルタ係数の発散を防止することができる。また、ビットタイミング制御と適応等化との干渉を避けることができる。
【００４０】
以上、本発明の実施の形態について説明したが、本発明が上記の実施の形態に限定されないことは言うまでもない。例えば、デジタル信号再生装置は、磁気再生装置に限られず、ＣＤやＤＶＤ等の光ディスク再生装置やデジタル受信機等のように、デジタルデータを再生するものであればよい。
【００４１】
また、可変フィルタ部や適応制御部の具体的構成は、上記のものに限定されない。例えば、適応制御部では、仮判定部６２ａの判定結果の代わりに、信号処理回路８０により得られた誤り訂正結果を用いることも可能である。
【００４２】
また、デジタル信号再生装置を構成する各部分は、専用のハードウェア回路に限られず、ＲＯＭ等の記憶媒体に記憶されたプログラムがＣＰＵおよびＲＡＭによって実行されることにより実現されてもよい。
【図面の簡単な説明】
【００４３】
【図１】デジタル信号再生装置の構成を示すブロック図である。
【図２】適応等化器６０の構成を示すブロック図である。
【図３】可変フィルタ６１および適応制御部６２の構成を示すブロック図である。
【図４】適応等化器６０の動作を説明するためのタイミングチャートである。
【符号の説明】
【００４４】
１１ａ、１１ｂ  磁気ヘッド、１２  ヘッド切り替えスイッチ、１３  ヘッドアンプ、１４  ヘッド切り替え制御部、２０  Ａ／Ｄ変換器、３０  インターポレータ、４０  フィルタ群、５０  ＡＧＣ回路、６０  適応等化器、６１  可変フィルタ、６１ａ、６１ｂ、６１ｃ、６１ｄ  遅延素子、６１ｅ、６１ｆ、６１ｇ、６１ｈ、６１ｉ  係数乗算器、６１ｊ  加算器、６２  適応制御部、６２ａ  仮判定部、６２ｂ  加算器、６２ｃ  フィルタ係数更新部、６３  係数リセット部、６４  係数決定部、７０  タイミングコントロール部、８０  信号処理回路、１００  デジタル信号再生回路。
【図１】
2005135563.tif 000003
【図２】
2005135563.tif 000004
【図３】
2005135563.tif 000005
【図４】
2005135563.tif 000006